(57)【要約】【課題】携帯電話等をユーザがカバンやポケット等に入れている状態で着信があった場合に、その着信音を即時に止めたり減衰させて周囲への迷惑を最小限に抑える。【解決手段】着信を検出して着信動作を行った後、衝撃検出部１からの検出信号を監視する。そして、衝撃が検出されると、設定テーブル３を参照し、衝撃検出時の切り換え動作を行う。これにより、着信音を停止したり、減衰させることにより、即時に着信音の切り換えを行う。また、設定テーブル３の設定に基づいてバイブレータ機能を用いることも可能である。その後、一定時間経過しても応答がない場合には、再度、着信音の音量を上げて、ユーザが応答し忘れた場合に、再度応答を促すようにする。【選択図】        図１
2004179961.tif 000002
【特許請求の範囲】
【請求項１】
外部から加わる衝撃を検出する衝撃検出手段と、
着信時に着信音を出力する着信音出力手段と、
前記着信音出力手段による着信音を出力中に前記衝撃検出手段によって衝撃が検出された場合に、前記着信音出力手段による着信音の出力条件を切り換える制御手段と、
を有することを特徴とする携帯端末。
【請求項２】
前記制御手段は、着信時の動作条件を設定した設定テーブルの設定内容に基づいて前記着信音出力手段による着信音の出力条件を切り換えることを特徴とする請求項１記載の携帯端末。
【請求項３】
前記制御手段は、前記着信音出力手段による着信音を出力中に前記衝撃検出手段によって衝撃が検出された場合に、前記着信音出力手段による着信音を停止させることを特徴とする請求項１記載の携帯端末。
【請求項４】
前記制御手段は、前記着信音出力手段による着信音を出力中に前記衝撃検出手段によって衝撃が検出された場合に、前記着信音出力手段による着信音を減衰させることを特徴とする請求項１記載の携帯端末。
【請求項５】
着信時に振動を発生するバイブレータ手段を有することを特徴とする請求項１記載の携帯端末。
【請求項６】
前記制御手段は、前記バイブレータ手段による振動中に前記衝撃検出手段によって衝撃が検出された場合に、前記バイブレータ手段による振動を切り換えることを特徴とする請求項５記載の携帯端末。
【請求項７】
前記制御手段は、前記着信音出力手段による着信音を出力中に前記衝撃検出手段によって衝撃が検出された場合に、その衝撃の強度及び回数を判定し、その判定結果に応じて前記着信音出力手段による着信音の出力条件を切り換えることを特徴とする請求項１記載の携帯端末。
【請求項８】
前記制御手段は、前記着信音出力手段による着信音を出力中に前記衝撃検出手段によって衝撃が検出され、前記着信音出力手段による着信音の出力条件を切り換えた後、所定の時間経過後にユーザが応答しない場合には、元の着信音の出力条件に戻すことを特徴とする請求項１記載の携帯端末。
【請求項９】
外部から加わる衝撃を検出する衝撃検出ステップと、
着信時に着信音を出力する着信音出力ステップと、
前記着信音出力ステップによる着信音を出力中に前記衝撃検出ステップによって衝撃が検出された場合に、前記着信音出力ステップによる着信音の出力条件を切り換える制御ステップと、
を有することを特徴とする携帯端末の着信制御方法。
【請求項１０】
前記制御ステップは、着信時の動作条件を設定した設定テーブルの設定内容に基づいて前記着信音出力ステップによる着信音の出力条件を切り換えることを特徴とする請求項９記載の携帯端末の着信制御方法。
【請求項１１】
前記制御ステップは、前記着信音出力ステップによる着信音を出力中に前記衝撃検出ステップによって衝撃が検出された場合に、前記着信音出力ステップによる着信音を停止させることを特徴とする請求項９記載の携帯端末の着信制御方法。
【請求項１２】
前記制御ステップは、前記着信音出力ステップによる着信音を出力中に前記衝撃検出ステップによって衝撃が検出された場合に、前記着信音出力ステップによる着信音を減衰させることを特徴とする請求項９記載の携帯端末の着信制御方法。
【請求項１３】
着信時に振動を発生するバイブレータステップを有することを特徴とする請求項９記載の携帯端末の着信制御方法。
【請求項１４】
前記制御ステップは、前記バイブレータステップによる振動中に前記衝撃検出ステップによって衝撃が検出された場合に、前記バイブレータステップによる振動を切り換えることを特徴とする請求項１３記載の携帯端末の着信制御方法。
【請求項１５】
前記制御ステップは、前記着信音出力ステップによる着信音を出力中に前記衝撃検出ステップによって衝撃が検出された場合に、その衝撃の強度及び回数を判定し、その判定結果に応じて前記着信音出力ステップによる着信音の出力条件を切り換えることを特徴とする請求項９記載の携帯端末の着信制御方法。
【請求項１６】
前記制御ステップは、前記着信音出力ステップによる着信音を出力中に前記衝撃検出ステップによって衝撃が検出され、前記着信音出力ステップによる着信音の出力条件を切り換えた後、所定の時間経過後にユーザが応答しない場合には、元の着信音の出力条件に戻すことを特徴とする請求項９記載の携帯端末の着信制御方法。
【請求項１７】
携帯端末の着信動作を制御するコンピュータを制御するプログラムであって、
外部から加わる衝撃を検出する衝撃検出ステップと、
着信時に着信音を出力する着信音出力ステップと、
前記着信音出力ステップによる着信音を出力中に前記衝撃検出ステップによって衝撃が検出された場合に、前記着信音出力ステップによる着信音の出力条件を切り換える制御ステップと、
を有することを特徴とするプログラム。
【発明の詳細な説明】
【０００１】
【発明の属する技術分野】
本発明は、着信に応じて着信音を出力する携帯電話等の携帯端末及びその着信制御方法に関する。
【０００２】
【従来の技術】
一般に、携帯電話で着信があると、例えば予め設定されている着信メロディによる着信音を出力し、利用者に着信を伝えるようになっている。
そして、この着信音は、ユーザが受話キー等のキー操作を行って適正な応答をするまで鳴り続け、場合によっては周囲の人に不快感を与える恐れがある。特に、カバンやポケット等の奥に携帯電話を入れている場合には、ユーザが即時に応答したいと思っても、携帯電話を取り出すまでに時間がかかり、周囲に迷惑となる場合が多い。
また、着信動作の設定を着信音からバイブレータに切り換えることも可能であるが、カバンやポケット等の奥に携帯電話を入れている場合には、ユーザが着信に気がつかず、有効な着信通知を行えないという問題がある。
【０００３】
なお、このような問題に対し、従来は着信音の音量等を可変設定するようにしたものが知られている。
例えば、外部信号から使用環境を検出し、その検出状況に合わせて着信音の音量を可変制御するものや（例えば、特許文献１、特許文献２参照）、予め設定した回数だけ大きい着信音を出力し、その後、音量を減少させるもの（例えば、特許文献３参照）が提案されている。
【０００４】
【特許文献１】
特開２００１−２２３７６７号公報
【特許文献２】
特開２００１−３３９７６１号公報
【特許文献３】
特開平５−１２２１４４号公報
【０００５】
【発明が解決しようとする課題】
しかしながら、上述のよううに使用環境に応じて音量を制御する方法では、使用環境に応じて音量は制御できるものの、例えばユーザがカバンやポケット等から携帯電話を取り出して応答するまでは、着信音が鳴り続けることには変わりがなく、周囲の人に不快感を与える結果となる。
また、予め設定した回数だけ大きい着信音を出力する方法でも、その設定した回数については大きな着信音が生じるため、ユーザがカバンやポケット等から携帯電話を取り出すのに時間がかかり、即時に応答できない場合に、やはり周囲の人に不快感を与える結果となる。
【０００６】
そこで本発明の目的は、携帯電話等をユーザがカバンやポケット等に入れている状態で着信があった場合に、その着信音を即時に止めたり、減衰させることができ、周囲への迷惑を最小限に抑えることが可能な携帯端末及びその着信制御方法を提供することにある。
【０００７】
【課題を解決するための手段】
本発明は前記目的を達成するため、外部から加わる衝撃を検出する衝撃検出手段と、着信時に着信音を出力する着信音出力手段と、前記着信音出力手段による着信音を出力中に前記衝撃検出手段によって衝撃が検出された場合に、前記着信音出力手段による着信音の出力条件を切り換える制御手段とを有することを特徴とする。
【０００８】
また本発明は、外部から加わる衝撃を検出する衝撃検出ステップと、着信時に着信音を出力する着信音出力ステップと、前記着信音出力ステップによる着信音を出力中に前記衝撃検出ステップによって衝撃が検出された場合に、前記着信音出力ステップによる着信音の出力条件を切り換える制御ステップとを有することを特徴とする。
【０００９】
本発明の携帯端末及びその着信制御方法では、着信時の着信音出力中に外部からの加わる衝撃を検出した場合に、着信音の出力条件を切り換えることから、例えば携帯端末をユーザがカバンやポケット等に入れている状態で着信があった場合に、携帯端末を取り出す前にカバンやポケット等を軽くたたいて衝撃を与えることで、その着信音を即時に止めたり、減衰させることができ、その後、カバンやポケット等から携帯端末を取り出して応答を行うことができる。
したがって、携帯端末の応答に手間取る場合でも、着信音を迅速に切り換えて、周囲への迷惑を最小限に抑えることが可能となり、携帯端末の利便性を向上することが可能となる。
【００１０】
【発明の実施の形態】
以下、本発明による携帯端末及びその着信制御方法の実施の形態例について説明する。
本発明の実施の形態例は、携帯電話で着信時に着信音を出力した後、外部からの物理的衝撃を検出した場合に、その着信音を消す、あるいは音量を下げることにより、ユーザがカバンやポケット等に入れた携帯電話を取り出すのに手間取った場合でも、外部から着信音を即時に止めたり、減衰させることを可能とし、周囲への迷惑を小さくし、利便性を向上したものである。
【００１１】
図１は、本発明の実施の形態例による携帯電話の構成例を示すブロック図である。
図示のように本例の携帯電話は、衝撃検出部１、制御部２、設定テーブル３、着信音生成部４、バイブレータ生成部５、タイマー部６、キーボード７、及び表示部８を有して構成されている。
衝撃検出部１は、外部からの衝撃を検出する振動センサであり、一定レベルの衝撃を検出した場合には、その検出信号を制御部２に送出する。
制御部２は、本例の携帯電話における制御全体を行うものであり、特に本例では、着信を検出して着信音を鳴らしている場合に、衝撃検出部１からの検出信号に応じて設定テーブル３を参照し、その設定内容に基づいて着信音の切り換え制御を行うものである。
【００１２】
設定テーブル３は、着信時の各動作条件を設定するテーブルであり、例えばユーザがキーボード７及び表示部８を用いて設定作業を行うことができるものである。
図２は、本例における設定テーブル３の設定内容の一例を示している。
図示のように本例の設定テーブル３は、「初動着信音コード」、「初動着信音量」、「着信音切り換えモード」、「バイブレータ選択」、「バイブレータ強度」、「バイブレータ切り換えモード」の各項目を登録するようになっている。
「初動着信音コード」は、着信後に出力する着信音の種類を設定するための項目であり、「初動着信音量」は着信後に出力する着信音の音量を設定する項目である。
また、「着信音切り換えモード」は、着信後に着信音を出力している際に、衝撃検出した場合に、出力中の着信音を停止するか、減衰させるかを設定する項目である。例えば、着信音を停止する場合は「０」、着信音を減衰させる場合は、その減衰率（％）を示す数値を設定する。
【００１３】
また、「バイブレータ選択」はバイブレータを用いるか否かを設定する項目であり、「バイブレータ強度」はバイブレータの強度を設定する項目である。また、「バイブレータ切り換えモード」は着信後にバイブレータを作動させている際に、衝撃検出した場合のバイブレータ動作を切り換えるモードを設定する項目である。
例えば、「初動着信音コード」で非出力を選択し、「バイブレータ選択」でバイブレータを用いる設定を行った場合には、最初からバイブレータを用いた着信動作を行う設定とする。
また、「初動着信音コード」で着信音を選択し、「バイブレータ選択」でバイブレータを用いない設定を行った場合、着信時には着信音の出力だけを行うが、「バイブレータ切り換えモード」に衝撃検出後に起動することを設定した場合には、衝撃検出後にバイブレータを起動する。なお、衝撃検出後にバイブレータの動作（強度等）を変更するような設定も可能である。
【００１４】
なお、このような設定テーブル３の内容は、図２に示す例に限らず、種々の構成が可能であり、携帯電話の仕様等に合わせて適宜設計できるものとする。
例えばタイマー部６の機能により、衝撃検出後の動作を元の初動状態に戻るような設定も可能である。例えば１回の衝撃が検出された後、着信音を停止または減衰させたにもかかわらず、所定の時間が経過しても応答操作がない場合には、再び着信音を初動状態に戻し、ユーザに注意を喚起する。
また、衝撃の強さや回数に応じて、衝撃検出後の動作を選択できるような設定も可能である。例えば、男生と女性では、与える衝撃が異なることから、それに応じて着信音を切り換える衝撃の強度レベルを設定することが可能である。また、カバンやポケット等が揺れただけの衝撃では、ユーザが確実に着信を認識したか否かを判定できないため、所定レベル以上の衝撃波が検出された場合にだけ、着信音の切り換えを行うようにすることが可能である。
あるいはユーザが２回たたくことで、着信を認識した合図であると判断し、その時点で着信音の切り換えを行うようにすれば、ユーザに確実に着信の応答を促すまで着信音の出力を行うことが可能である。
このような設定は、表示部８に設定画面を表示し、そのガイダンスを見ながら順番に必要項目をキーボード７から入力していくことにより、ユーザが希望する機能の選択と設定とを行うようにする。
【００１５】
着信音生成部４は、制御部２の制御に基づいて設定テーブル３の設定内容に対応する着信音を生成して出力するものであり、バイブレータ生成部５は、制御部２の制御に基づいて設定テーブル３の設定内容に対応する振動を生成するものである。
タイマー部６は、各種の時間計測に用いるものであり、例えば上述したように設定テーブル３に時間が設定された場合には、その制御に用いるものである。
キーボード７は、各種のキー入力に用いるものであり、そのキー入力には上述した設定テーブル３への入力作業が含まれるものである。
また、表示部８は、各種の表示を行うものであり、その表示には上述した設定テーブル３への入力作業用の表示が含まれるものである。
【００１６】
図３は、以上のような携帯電話における着信時の制御部２の動作を示すフローチャートである。以下、このフローチャートを用いて本例における具体的な動作例について説明する。
まず、スタンバイ状態において制御部２が着信を監視しており（ステップＳ１）、着信があると、制御部２は設定テーブル３を参照し、そこに設定されている着信動作の内容に基づいて着信動作を行う（ステップＳ２）。ここでは、着信音を鳴らすように設定されているものとし、制御部２は着信音生成部４に所定音量の着信音を出力するよう指示し、着信音生成部４から着信音が出力される。
次に、制御部２は、ユーザの応答を監視するとともに、衝撃検出部１からの検出信号を監視する（ステップＳ３、Ｓ４）。
ここで、ステップＳ３で所定時間以内にユーザの応答があった場合には、着信動作を終了して通話動作の処理に移行する（ステップＳ５）。
【００１７】
また、ステップＳ４で衝撃が検出されると、制御部２は設定テーブル３を参照し、衝撃検出時の切り換え動作を行う（ステップＳ６）。ここでは、着信音を停止するように設定されているものとし、制御部２は着信音生成部４に着信音を停止するよう指示し、着信音生成部４からの着信音が停止する。
この後、制御部２は再度ユーザの応答を監視し（ステップＳ７）、所定時間内に応答があった場合には、着信動作を終了して通話動作の処理に移行する（ステップＳ５）。
また、所定時間内に応答がない場合には、制御部２は設定テーブル３を参照し、時間切れの処理を実行する（ステップＳ８）。ここでは着信音を再度出力するような設定であるものとし、着信音生成部４に着信音の再出力を指示し、ステップＳ２以降の処理を繰り返す。
また、ステップＳ３、Ｓ４で所定時間以内に応答も衝撃検出もない場合には（ステップＳ９）、発信側にユーザ不在のコメントを流し、通信の終了処理または留守録等の処理に移行する（ステップＳ１０）。なお、これ以降の動作は、本発明に直接関係しないため説明は省略する。
【００１８】
以上のような実施の形態例では、次のような効果を得ることができる。
（１）カバンやポケット等の中の携帯電話に直接触ることなく着信音量を変更することができることである。このため、着信音の変更が素早くでき、周りの人に与える着信音の影響を小さくすることが可能となる。
（２）バイブレータ機能と連動させることにより、たとえ着信音を消しても着信の状態を振動によって携帯電話のユーザに伝えることができ、着信音の変更だけでなく、バイブレータ機能によって着信状態を継続的に携帯電話のユーザに伝えることができることである。
（３）予め設定した時間によりタイマー機能が働き、着信音の変更後、一定時間経過後には、元の着信音の状態に戻り、電話に出ることを忘れることを防止することである。
【００１９】
なお、以上は本発明を携帯電話に適用した場合について説明したが、本発明は着信音の出力機能を有する各種の携帯端末に適用できるものである。
また、上述した実施の形態例は一例にすぎず、例えば着信音やバイブレータの切り換え動作の内容等については種々変形が可能である。
また、上述のような処理は、携帯端末の着信処理を行うＭＰＵ等のコンピュータを制御するプログラムによって実行されるものであり、このようなプログラムも本発明に含まれるものである。
【００２０】
【発明の効果】
以上説明したように本発明の携帯端末及びその着信制御方法では、着信時の着信音出力中に外部からの加わる衝撃を検出した場合に、着信音の出力条件を切り換えることから、携帯端末の応答に手間取る場合でも、着信音を迅速に切り換えて、周囲への迷惑を最小限に抑えることが可能となり、携帯端末の利便性を向上できる効果がある。
【図面の簡単な説明】
【図１】本発明の実施の形態例による携帯電話の構成例を示すブロック図である。
【図２】図１に示す携帯電話における設定テーブルの設定内容の一例を示す説明図である。
【図３】図１に示す携帯電話における制御部の着信時の動作を示すフローチャートである。
【符号の説明】
１……衝撃検出部、２……制御部、３……設定テーブル、４……着信音生成部、５……バイブレータ生成部、６……タイマー部、７……キーボード、８……表示部。
【図１】
2004179961.tif 000003
【図２】
2004179961.tif 000004
【図３】
2004179961.tif 000005